(57)【特許請求の範囲】
【請求項１】
複数の極室により構成された集塵極と、前記極室の内部を略垂直方向に貫通するように配設された放電極と、を備える電気集塵機の前記極室の内部を検査する極室内検査装置であって、
前記極室の内部を略垂直方向に沿って移動可能に配置され、前記放電極を３６０度未満の角度で囲むように形成されたベースフレームと、
光軸方向が前記放電極に向かう方向となるように、前記ベースフレームの側面に配置された第１の撮像装置及び第２の撮像装置と、
を備え、
前記ベースフレームは、対向する一対のフレームを有し、
前記一対のフレームのうち、一方のフレームには前記第１の撮像装置が配置され、他方のフレームには前記第２の撮像装置が配置されている、
極室内検査装置。
【請求項２】
前記撮像装置が配置されているフレームの側面において、前記撮像装置を中心として配置された少なくとも一対の照明装置を、
さらに備える請求項１に記載の極室内検査装置。
【請求項３】
前記少なくとも一対の照明装置は、前記一対のフレームの両方に配置される、
請求項２に記載の極室内検査装置。
【請求項４】
前記集塵極を構成する前記極室の開口部の形状がＮ角形（Ｎは３以上の整数値）の角筒である
請求項１乃至３の何れか１項に記載の極室内検査装置。
【発明の詳細な説明】
【技術分野】
【０００１】
本発明は、電気集塵機の極室内の点検を容易に可視化することで、電気集塵機の適切な保守を可能にする、電気集塵機の極室内検査装置に関する。
【背景技術】
【０００２】
電気集塵機は、滑らかな集塵極と放電極とを備えている（例えば特許文献１参照）。
電気集塵機において、集塵極が接地され、放電極に負の高電圧が印加されると、放電極から旺盛なコロナ放電が発生し、電気集塵機内の空間は負イオンと電子によって満たされる。この状態で、電気集塵機内の空間をミストやダスト等の微粒子を含んだガスが通過すると、ガス中の微粒子は負に帯電し、静電凝集作用を伴いながら、クーロン力によって集塵極に向かって移動し、集塵極上に付着され、集塵される。
【０００３】
また、電気集塵機の集塵効率を向上させるため、複数の筒を集塵極として繰り返し配置したものが広く用いられている。このような集塵極として、従来、筒の開口部が円状の円筒型集塵極や、筒の開口部が四角形状の角筒型電気集塵機が存在する。
【０００４】
一方、電気集塵機の放電極は、金属線材を使用したものが多く用いられており、その他、パイプ形状のもの、またこの２種類が混在する電気集塵機も多数存在する。
【０００５】
このような電気集塵機では、集塵極と放電極の状態を維持しなければ、集塵効率が悪化するので、定期的に保守のための維持管理が必要である。
【先行技術文献】
【特許文献】
【０００６】
【特許文献１】特開２００２−１１９８８９号公報
【発明の概要】
【発明が解決しようとする課題】
【０００７】
このような電気集塵機に設置されている集塵極と放電極の間隔は狭く、広い場合においても集塵極と放電極の間隔は２５０ｍｍ程度である。一方で、集塵極として使用される筒の長手方向の長さは多くのものが４ｍ以上である。
このため、集塵極と放電極を点検する場合、集塵極と放電極の間隔は狭いにもかかわらず集塵極の筒の長手方向は長い（深い）ため、放電極を設置した状態で、電気集塵機の内部に点検者が入っての目視点検は実質的に不可能である。
【０００８】
したがって、電気集塵機を点検する場合には、放電極を上方又は下方に取り外し、集塵極及び放電極それぞれを点検する必要があるが、放電極は、非常に狭い空間に設置されているため、放電極の取り外しは、非常に狭い場所で行わなければならず非常に困難な作業となる。
また、集塵極は、それぞれの筒を取り外すことが出来る構造ではないものが大半であり、筒の長手方向が垂直方向となるよう配置された集塵極の高さは非常に高く、人が電気集塵機の内部に入り点検を行うことは非常に危険な作業となる。
このため、通常の点検では、点検者は、目視できる一部分のみを観察し、全体の状態を推察し、全体の状況を判定している。
しかしながら、一部分のみを目視する観察では、全体の状態を点検者が正確に判断できず、目視できない部分の劣化に伴う効率の低下をおこすことにつながる虞がある。
また、電気集塵機の内部に入り全体を点検する場合には、点検者が内部に入るために足場を掛ける必要があるため、足場の設置等のための費用がかかるという問題点がある。また、粉塵が付着した集塵極を点検者が直接目視により点検する環境は過酷かつ危険な作業であるという欠点があった。
【０００９】
本発明は以上のような事情に鑑みてなされたものであり、点検者が出入りすることが困難な集塵極とその内部に設置された放電極を取り外すことなく、かつ足場を掛けることない状態で、点検者が、安全に安価な検査を行うことが出来、かつ集塵極内部を容易に可視化することにより的確な検査を行うことが出来るようにすることを目的としている。
【課題を解決するための手段】
【００１０】
本発明の一側面の極室内検査装置は、
複数の極室により構成された集塵極と、前記極室の内部を略垂直方向に貫通するように配設された放電極と、を備える電気集塵機の前記極室の内部を検査する極室内検査装置であって、
前記極室の内部を略垂直方向に沿って移動可能に配置され、前記放電極を３６０度未満の角度で囲むように形成されたベースフレームと、
光軸方向が前記放電極に向かう方向となるように、前記ベースフレームの側面に配置された、少なくとも１つの撮像装置と、
を備えることを特徴とする。
【００１１】
本発明の一側面の極室内検査装置は、
前記ベースフレームは、対向する一対のフレームを有し、
前記撮像装置は、前記一対のフレームのうち少なくとも一方のフレームに配置されていることを特徴とする。
【００１２】
本発明の一側面の極室内検査装置においては、
前記撮像装置が配置されているフレームの側面において、前記撮像装置を中心として配置された少なくとも一対の照明装置を、
さらに備えることを特徴とする。
【００１３】
本発明の一側面の極室内検査装置においては、
前記撮像装置は、前記一対のフレームの両方に配置され、
前記少なくとも一対の照明装置は、前記一対のフレームの両方に配置される、
ことを特徴とする。
【００１４】
本発明の一側面の極室内検査装置においては、
前記集塵極を構成する前記極室の開口部の形状がＮ角形（Ｎは３以上の整数値）の角筒である
ことを特徴とする極室内検査装置。
【発明の効果】
【００１５】
本発明によれば、点検者が出入りすることが困難な集塵極とその内部に設置された放電極を取り外すことなく、かつ足場を掛けることない状態で、点検者が、安全に安価な検査を行うことが出来、かつ集塵極内部を容易に可視化することにより的確な検査を行うことが出来るようになる。
【図面の簡単な説明】
【００１６】
【図１】本発明の一実施形態に係る極室内検査装置の検査対象となる湿式電気集塵機の概略構成を示す断面図である。
【図２】図１の湿式電気集塵機の筺体内部の概略構成を示す斜視図である。
【図３】図１の湿式電気集塵機の筺体内部の概略構成を示す上面図である。
【図４】本発明の一実施形態に係る極室内検査装置のハードウェアの構成を示すブロック図である。
【図５】本発明の一実施形態に係る検査装置本体の斜視図である。
【図６】本発明の一実施形態に係る検査装置本体の側面図及び俯瞰図である。
【図７】本発明の一実施形態に係る極室内検査装置が適用される湿式電気集塵機の概略構成を示す斜視図である。
【図８】開口部が丸の形状を有する筒を極室とする集塵極に極室内検査装置を適用した俯瞰図である。
【図９】図８の拡大図である。
【図１０】図８の斜視図である。
【図１１】開口部が六角形状を有する筒を極室とする集塵極に極室内検査装置を適用した俯瞰図である。
【図１２】図１１の拡大図である。
【図１３】図１１の斜視図である。
【発明を実施するための形態】
【００１７】
以下、本発明の一実施形態を図面に基づいて説明する。
図１は、本発明の一実施形態に係る極室内検査装置の検査対象となる湿式電気集塵機１の概略構成を示す断面図である。
具体的には、図１（Ａ）及び図１（Ｂ）は、湿式電気集塵機１の外観の概略構成を示す断面図であり、相互に略垂直の別々の方向からみた断面図である。
【００１８】
湿式電気集塵機１には、上部ケーシング１１と、集塵極２２と、下部ケーシング１３と、架構１４と、が設けられている。
上部ケーシング１１と、集塵極２２と、下部ケーシング１３とが上方からその順番で組み合わされることによって、湿式電気集塵機１の筺体が構成される。湿式電気集塵機１の筺体は、架構１４により、地上から所定距離だけ上方に離間して固定されている。湿式電気集塵機１の筺体の材質は、本実施形態では導電性のＦＲＰ（繊維強化プラスチック：Ｆｉｂｅｒ  Ｒｅｉｎｆｏｒｃｅｄ  Ｐｌａｓｔｉｃｓ）が採用されている。
【００１９】
図２は、湿式電気集塵機１の筺体内部の概略構成を示す斜視図である。
図３は、湿式電気集塵機１の筺体内部の概略構成を示す上面図である。
【００２０】
図２や図３に示すように、湿式電気集塵機１の筺体内部には、上部グリッド２１と、集塵極２２と、下部グリッド２３と、電極ロッド２４と、放電線２５と、ウェイト２６と、上向きスプレーノズル２７と、洗浄用配管２８と、が設けられている。
【００２１】
上部グリッド２１と、集塵極２２と、下部グリッド２３とは、図２に示すように、上方からその順番で相互に所定距離だけ離間して、水平方向に相互に略平行となるように、配設されている。
【００２２】
集塵極２２は、図２や図３に示すように、角筒を単位（以下、このような単位を「極室」と呼ぶ）として、複数の極室を繰り返し連続して配置することによって構成される。
具体的には、以下、略水平方向のうち、一方向を「縦方向」と呼び、縦方向に直角な方向を「横方向」と呼ぶ。この場合、縦方向にＮ個の単位を繰り返し連続して配置させ、横方向にＭ個の単位を繰り返し連続して配置させること（以下、「Ｎ×Ｍ」と表現する）によって、集塵極２２が構成される。
ここで、ＮとＭとは独立した任意の整数値であり、本実施形態では、図２や図３に示すように、集塵極２２の極室の個数はＮ×Ｍ＝９×９個とされている。
なお、図２乃至図４において、集塵極２２の極室の個数がＮ×Ｍ＝３×３個とされているのは、単なる説明の便宜上のためである。換言すると、図２乃至図３においては、説明の便宜上、集塵極２２を構成する９×９個の極室のうち、中央の３×３個の極室のみが図示されている。
ここで、集塵極２２のように、角筒の集合体として構成される集塵極は、一般的に「角筒型集塵極」と呼ばれており、単位体積当たりの集塵極面積が大きいため、コンパクトな設計が可能になるという特長を有している。
なお、集塵極２２の材質は、本実施形態では、導電性のＦＲＰが採用されている。
【００２３】
このような集塵極２２に対する放電極は、本実施形態では、電極ロッド２４及び放電線２５により構成されている。
電極ロッド２４は、図２に示すように、集塵極２２の所定の極室の中央内部を略垂直方向に貫通するように配設され、上端部が上部グリッド２１に固定され、下端部が下部グリッド２３に固定される。
放電線２５は、図２に示すように、上部グリッド２１から吊下げられ、集塵極２２の所定の極室の中央内部を略垂直方向に貫通するように配設される。放電線２５はまた、弛まないだけの張力を持たすように、下部グリッド２３の上部に設けられたウェイト２６に接続される。
電極ロッド２４には、直流高圧発生装置３０から負極の直流高電圧Ｖが直接印加される。一方、放電線２５には、直流高圧発生装置３０からの負極の直流高電圧Ｖが、電極ロッド２４及び上部グリッド２１を介して印加される。
【００２４】
上向きスプレーノズル２７は、集塵極２２の各極室の四隅の上方に配設され、洗浄用配管２８に流通している洗浄水を、略垂直上向き方向に微細の霧として噴出する。
ここで、「霧」とは、ミクロンオーダーの直径を有する水滴が、１ｃｍ３の空間中に数個乃至数１００個程度含まれている状態をいう。本実施形態では、洗浄水が、直径が約２００〜８００ミクロンの水滴として、上向きスプレーノズル２７から略垂直上向き方向に噴出される。
集塵極２２の各極室の四隅の上方に配設された上向きスプレーノズル２７の各々から噴出された霧は、集塵極２２の各極室の側面全体を覆う水膜となる。即ち、上向きスプレーノズル２７から霧として噴出された洗浄水によって、集塵極２２の各極室の側面には濡れ壁が形成される。これにより、集塵極２２に付着したミストやダスト等の微粒子の成長を防止すると共に、これらの微粒子を従来よりも確実に洗浄除去することが可能になる。
【００２５】
なお、図１に示すように、従来の湿式電気集塵機と同様に、集塵極２２の上端部から所定距離だけ離間した上方の所定位置に、下向きスプレーノズル２９を設けるようにしてもよい。
【００２６】
次に、以上の湿式電気集塵機１に使用される極室内検査装置４１の構成について説明する。
図４は、本発明の一実施形態に係る極室内検査装置４１のハードウェアの構成を示すブロック図である。
極室内検査装置４１は、昇降装置５１と、検査装置本体５２と、モニタ・照明制御装置５３と、電源装置５４と、を備える。
昇降装置５１は、昇降用ウインチ６１を備える。昇降用ウインチ６１は、モニタ・照明制御装置５３からの指示に基づき検査装置本体５２を上下方向に駆動する。昇降装置５１を使用した検査装置本体５２の移動については、後述の図７を参照して詳細に説明する。
【００２７】
検査装置本体５２は、撮像装置７１と、複数の照明装置７２〜７５と、を備え、検査装置本体５２を構成するベースフレーム９１（後述の図５参照）に取り付けられる。
撮像装置７１は、光学レンズ部（図示せず）と、イメージセンサ（図示せず）と、を備え、光学レンズ部から入射された被写体像をイメージセンサから撮像データとして出力してモニタ・照明制御装置５３に供給する。
複数の照明装置７２〜７５は、ＬＥＤ（Ｌｉｇｈｔ  Ｅｍｉｔｔｉｎｇ  Ｄｉｏｄｅ）を含むように構成され、後述の照明点灯スイッチ８２を介して電源装置５４からの電力の供給を受けている。なお、本実施形態においては、照明装置７２〜７５は、ＬＥＤを含むように構成されているがこれに限られるものではなく、白熱電球、蛍光灯等所定の照度を得られる照明器具であれば特に限定されない。また、本実施形態においては、照明装置７２は４つずつ取り付けられているがこれに限られるものではなく、２つでもよく、また、１以上の任意の数であってもよい。
【００２８】
モニタ・照明制御装置５３は、モニタ装置８１と、照明点灯スイッチ８２と、記録端子８３と、を備える。
モニタ装置８１は、例えば液晶ディスプレイにより構成され、撮像装置７１から供給された撮像データにより表わされる撮像画像を、逐次表示する。
照明点灯スイッチ８２は、電源装置５４から供給される電力を照明装置７２〜７５に供給するように、各照明装置７２〜７５に接続され、ユーザの切り替え操作により、各照明装置７２〜７５を個別に点灯及び消灯することができる。
記録端子８３は、モニタ装置８１に接続され、モニタ装置８１に表示対象となっている撮像データの内容を記録媒体に記録するためのインターフェースとして機能する。
【００２９】
電源装置５４は、昇降装置５１、検査装置本体５２及びモニタ・照明制御装置５３に電力を供給する。
【００３０】
次に、以上の極室内検査装置４１のうち検査装置本体５２についてさらに詳しく説明する。
図５は、本発明の一実施形態に係る検査装置本体５２の斜視図である。
【００３１】
検査装置本体５２は、ベースフレーム９１を備える。
ベースフレーム９１は、対向する一対のフレーム９２ａ，９２ｂと、それら一対のフレーム９２ａ，９２ｂの各々と係合する接続フレーム９３と、を備える。
フレーム９２ａ，９２ｂ及び接続フレーム９３はそれぞれ略同寸法に形成された四角形の平板状に形成されている。
具体的には、ベースフレーム９１を構成する各フレーム９２ａ，９２ｂは、接続フレーム９３の対向する辺に接続され、互いに略平行となるように配設されている。これにより、各フレーム９２ａ，９２ｂと、接続フレーム９３とで放電極である電極ロッド２４（図２参照）又は放電線２５（図２参照）を囲むようにコ字状のベースフレーム９１を構成している。
このフレーム９２ａ，９２ｂ及び接続フレーム９３の寸法は、集塵極２２（図２又は図３参照）を構成する極室の寸法よりも小さい寸法に形成されている。
なお、ベースフレーム９１は、特に図５の例に限定されず、電極ロッド２４（図２参照）又は放電線２５（図２参照）を３６０度未満の角度で囲む（閉曲線にならないという意）ように形成されていれば足りる。
【００３２】
撮像装置７１及び照明装置７２〜７５は、各フレーム９２ａ，９２ｂの互いに対向している面に設置されている。
具体的には、撮像装置７１は、光軸方向が電極ロッド２４（図２参照）又は放電線２５（図２参照）に向かう方向となるように、ベースフレーム９１を構成する各フレーム９２ａ，９２ｂの側面において、内側に向かって配置されている。
また、照明装置７２〜７５は、撮像装置７１の光学レンズ部の光軸方向と略同一の方向を照らすように、ベースフレーム９１を構成する各フレーム９２ａ，９２ｂの側面において、内側に向かって配置されている。
ここで、各フレーム９２ａ，９２ｂに設置されている構成のうち、フレーム９２ａに設置されている構成については、便宜上符号に“ａ”を付し、フレーム９２ｂに設置されている構成については、便宜上符号に“ｂ”を付して説明する。
なお、ここでは、フレーム９２ａに設置された構成についてのみ説明するが、フレーム９２ｂに設置されている構成はフレーム９２ａと同様の構成で配置されているため、特に構成に差異がない場合には、ここでは説明を省略する。
【００３３】
図６は、本発明の一実施形態に係る検査装置本体５２の側面図及び俯瞰図である。
図６（１）は、検査装置本体５２の側面図（フレーム９２ａ側）を示し、図６（２）は、検査装置本体５２の俯瞰図を示す。
【００３４】
図６（１）に示すように、フレーム９２ａの略中心位置には、撮像装置７１ａが配置されている。そして、撮像装置７１ａを中心として、撮像装置７１ａの上下方向には、一対の照明装置７２ａ，７３ａが配置され、撮像装置７１ａの左右方向には、一対の照明装置７２ａ，７４ａがそれぞれ配置されている。
【００３５】
ベースフレーム９１を構成するフレーム９２ａには、極室の内部を略垂直方向に移動可能にする緩衝装置付きサポートローラ１０１ａ，１０２ａ，１０３ａ，１０４ａ，１０５ａ，１０６ａが配置されている。
図６（１）に示すように、サポートローラ１０１ａ，１０２ａ，１０３ａ，１０４ａは、フレーム９２ａの幅方向の端部において、幅方向に突出して形成されている。
フレーム９２ａの対向する位置に配置されたサポートローラ１０１ａ，１０２ａの各先端間の距離は、集塵極２２を構成する極室の内部の寸法よりも小さい寸法により形成されている。同様に、サポートローラ１０３ａ，１０４ａの各先端間の距離は、集塵極２２を構成する極室の内部の寸法よりも小さい寸法により形成されている。
また、図６（２）に示すように、サポートローラ１０５ａ，１０６ａは、フレーム９２ａの外側端部において、外側方向に突出して形成されている。フレーム９２ａの外側に配置されたサポートローラ１０５ａの先端とフレーム９２ｂの外側に配置されたサポートローラ１０５ｂの先端との距離は、集塵極２２を構成する極室の内部の寸法よりも小さい寸法により形成されている。同様に、フレーム９２ａの外側に配置されたサポートローラ１０６ａの先端とフレーム９２ｂの外側に配置されたサポートローラ１０６ｂの先端との距離は、集塵極２２を構成する極室の内部の寸法よりも小さい寸法により形成されている。
これにより、サポートローラ１０１ａ，１０２ａ，１０３ａ，１０４ａ，１０５ａ，１０６ａは、集塵極２２を構成する極室の内部にベースフレーム９１が直接接触するのを抑止することができ、かつ、ベースフレーム９１にかかる衝撃を緩和することができる。
また、サポートローラ１０１ａ，１０２ａ，１０３ａ，１０４ａ，１０５ａ，１０６ａが、極室の内部と接触した場合であっても、ローラが回転することにより、検査装置本体５２の高さ方向への移動を円滑にすることができる。
【００３６】
また、フレーム９２ａには、フック１１１ａ，１１２ａが配置されている。
図６（１）に示すように、フック１１１ａ，１１２ａは、フレーム９２ａの高さ方向の上端部において、上方向に突出して形成されている。
フック１１１ａ，１１２ａは、昇降用ウインチ６１に接続されたワイヤー１２２（図７参照）が係止できるように輪状に形成されている。
【００３７】
次に、以上の極室内検査装置４１の動作について説明する。
図７は、本発明の一実施形態に係る極室内検査装置４１の検査対象になる湿式電気集塵機１の概略構成を示す斜視図である。
【００３８】
初めに、点検者は、湿式電気集塵機１の電極ロッド２４が配置されている極室の上部に配置された上部グリッド２１に吊下げて滑車１２１を取り付ける。
次に、点検者は、昇降用ウインチ６１から延出されたワイヤー１２２を滑車１２１を介して電極ロッド２４が挿通されている極室内へ下ろす。この際ワイヤー１２２は、撮影対象とする電極ロッド２４が挿通されている極室に隣接する極室内を通じて、下から挿通し、滑車１２１を通じて、電極ロッド２４が挿通されている極室内へ下ろされるようにする。
そして、点検者は、下ろしたワイヤー１２２の端部に、検査装置本体５２に設けられているフック１１１ａ，１１１ｂ，１１２ａ，１１２ｂを取り付けて、昇降用ウインチ６１と、検査装置本体５２とを互いに接続する。
点検者は、モニタ・照明制御装置５３を操作して、昇降用ウインチ６１を駆動することで、ワイヤー１２２を巻き上げると、ワイヤー１２２に取り付けられている検査装置本体５２が徐々に持ち上げられ、電極ロッド２４が挿通されている極室内の上方に移動される。
また、昇降用ウインチ６１が駆動することで、ワイヤー１２２を繰り出すと、ワイヤー１２２に取り付けられている検査装置本体５２が徐々に下げられ、電極ロッド２４が挿通されている極室内の下方に移動される。
この際、点検者は、電極ロッド２４を検査装置本体５２のベースフレーム９１を構成するフレーム９２ａ，９２ｂで挟むように配置することで、各フレーム９２ａ，９２ｂの内側に配置されている撮像装置７１ａ，７１ｂで電極ロッド２４を撮影することができる。
【００３９】
これにより、本実施形態に係る極室内検査装置４１は、点検者が出入りすることが困難な集塵極とその内部に設置された放電極を取り外すことなく、かつ足場を掛けることない状態で、点検者が、安全に安価な検査を行うことができる。また、集塵極と放電極を容易に可視化することができるので電気集塵機の検査を的確、かつ容易に行うことができる。
【００４０】
なお、本実施形態においては、極室内検査装置１が適用される集塵極２２を構成する極室は、開口部が四角形の形状を有する筒を極室とする集塵極２２に適用する例について説明したがこれに限られない。例えば、図８〜図１０に示すように、開口部が丸の形状を有する筒を極室とする集塵極２２ａや、図１１〜図１３に示すように、開口部が六角形状を有する筒を極室とする集塵極２２ｂに極室内検査装置１を適用してもよい。
【００４１】
図８〜図１０により、開口部が丸の形状を有する筒を極室とする集塵極２２ａに極室内検査装置１を適用する例について説明する。
図８は、開口部が丸の形状を有する筒を極室とする集塵極２２ａに極室内検査装置１を適用した俯瞰図である。
図９は、図８の拡大図である。
図１０は、図８の斜視図である。
【００４２】
図８〜図１０に示すように、フレーム９２ａの対向する位置に配置されたサポートローラ１０１ａの先端と１０２ａの先端との距離は、集塵極２２ａを構成する極室の内部の寸法よりも小さい寸法により形成されている。同様に、サポートローラ１０３ａの先端と１０４ａの先端との距離は、集塵極２２ａを構成する極室の内部の寸法よりも小さい寸法により形成されている。
また、フレーム９２ａの外側に配置されたサポートローラ１０５ａの先端とフレーム９２ｂの外側に配置されたサポートローラ１０５ｂの先端との距離は、集塵極２２ａを構成する極室の内部の寸法よりも小さい寸法により形成されている。同様に、フレーム９２ａの外側に配置されたサポートローラ１０６ａの先端とフレーム９２ｂの外側に配置されたサポートローラ１０６ｂの先端との距離は、集塵極２２ａを構成する極室の内部の寸法よりも小さい寸法により形成されている。
したがって、開口部が丸の形状を有する筒を極室とする集塵極２２ａに極室内検査装置１を適用した場合であっても、集塵極２２を構成する極室の内部にベースフレーム９１が直接接触するのを抑止することができ、かつ、ベースフレーム９１にかかる衝撃を緩和することができる。
また、サポートローラ１０１ａ，１０２ａ，１０３ａ，１０４ａ，１０５ａ，１０６ａが回転することにより、検査装置本体５２の高さ方向への移動を円滑にすることができる。
【００４３】
図１１〜図１３により、開口部が六角形状を有する筒を極室とする集塵極２２ｂに極室内検査装置１を適用する例について説明する。
図１１は、開口部が六角形状を有する筒を極室とする集塵極２２ｂに極室内検査装置１を適用した俯瞰図である。
図１２は、図１１の拡大図である。
図１３は、図１１の斜視図である。
【００４４】
図１１〜図１３に示すように、フレーム９２ａの対向する位置に配置されたサポートローラ１０１ａの先端と１０２ａの先端との距離は、集塵極２２ｂを構成する極室の内部の寸法よりも小さい寸法により形成されている。同様に、サポートローラ１０３ａの先端と１０４ａの先端との距離は、集塵極２２ｂを構成する極室の内部の寸法よりも小さい寸法により形成されている。
また、フレーム９２ａの外側に配置されたサポートローラ１０５ａの先端とフレーム９２ｂの外側に配置されたサポートローラ１０５ｂの先端との距離は、集塵極２２ｂを構成する極室の内部の寸法よりも小さい寸法により形成されている。同様に、フレーム９２ａの外側に配置されたサポートローラ１０６ａの先端とフレーム９２ｂの外側に配置されたサポートローラ１０６ｂの先端との距離は、集塵極２２ｂを構成する極室の内部の寸法よりも小さい寸法により形成されている。
したがって、開口部が六角形状を有する筒を極室とする集塵極２２ｂに極室内検査装置１を適用した場合であっても、集塵極２２を構成する極室の内部にベースフレーム９１が直接接触するのを抑止することができ、かつ、ベースフレーム９１にかかる衝撃を緩和することができる。
また、サポートローラ１０１ａ，１０２ａ，１０３ａ，１０４ａ，１０５ａ，１０６ａが回転することにより、検査装置本体５２の高さ方向への移動を円滑にすることができる。
【００４５】
このように、本発明は上記実施形態に限定されるものではなく、本発明の目的を達成できる範囲での変形、改良等は本発明に含まれるものである。
【００４６】
例えば、上記実施形態の集塵極２２としては、開口部が正方形の形状を有する角筒を極室（単位）とする角筒型集塵極が採用されたが、特にこれに限定されない。
具体的には例えば、角筒型集塵極を構成する各極室の開口部の形状は、正方形である必要は特に無く、Ｎ角形（Ｎは３以上の整数値）であれば足りる。
さらに例えば、開口部が円状等のＮ角形以外の形状を有する筒を極室として、複数の極室の集合体により構成される集塵極を採用してもよい。
ここで、開口部の形状がＮ角形の角筒を極室とする角筒型集塵極の場合、複数の極室に囲まれて形成される領域とは、複数の極室の交点、即ち、各極室のＮ個の角の各々を意味する。
【符号の説明】
【００４７】
１  湿式電気集塵機，  ２１  上部グリッド，  ２２  集塵極，  ２３  下部グリッド，  ２４  電極ロッド，  ２５  放電線，  ４１  極室内検査装置，  ５１  昇降装置，  ５２  検査装置本体，  ５３  モニタ・証明制御装置，  ５４  電源装置，  ６１  昇降用ウインチ，  ７１  撮像装置，  ７２、７３、７４、７５  照明装置，  ８１  モニタ装置，  ８２  照明点灯スイッチ，  ８３  記録端子，  ９１  ベースフレーム，  ９２ａ、９２ｂ  フレーム，  ９３  係合フレーム，  １０１ａ，１０２ａ，１０３ａ，１０４ａ，１０５ａ，１０６ａ  サポートローラ，  １１１ａ，１１２ａ  フック，  １２１  滑車，  １２２  ワイヤー
【図１】
0005793761.tif 000002
【図２】
0005793761.tif 000003
【図３】
0005793761.tif 000004
【図４】
0005793761.tif 000005
【図５】
0005793761.tif 000006
【図６】
0005793761.tif 000007
【図７】
0005793761.tif 000008
【図８】
0005793761.tif 000009
【図９】
0005793761.tif 000010
【図１０】
0005793761.tif 000011
【図１１】
0005793761.tif 000012
【図１２】
0005793761.tif 000013
【図１３】
0005793761.tif 000014